(57)【特許請求の範囲】
【請求項１】
自動販売機などに搭載した冷凍機の冷却ユニットがフィン・チューブ形エバポレータとキャピラリチュ-ブを有し、該冷却ユニットに温度センサを取付けて温度検出を行う冷却ユニットの温度センサ取付け装置であって、前記キャピラリチュ-ブと接続する側の前記エバポレータから引出した冷媒配管のリードパイプに温度センサの感温部を直接添わせ、嵌め込み式のホルダを介して両者間を伝熱的に結束した冷却ユニットの温度センサ取付け装置において、ホルダが断面ダルマ形でその周面一部を長手方向に沿って開口し、かつその端部に温度センサを係止保持する爪を備えた樹脂製の筒状スナップであり、該ホルダをリードパイプと温度センサの感温筒にまたがって架け渡したことを特徴とする冷却ユニットの温度センサ取付け装置。
【発明の詳細な説明】
【０００１】
【発明の属する技術分野】
本発明は、コールド商品販売用の自動販売機に搭載した冷凍機の庫内保冷用冷却ユニットなどを対象に、該冷却ユニットに取付けて温度検出を行う冷却ユニットの温度センサ取付け装置に関する。
【０００２】
【従来の技術】
周知のように頭記した自動販売機では、商品収納ラックを収容した庫内に冷凍機の冷却ユニット（フィン・チューブ形エバポレータ）を組み込んで、商品収納ラックに収納した商品を保冷しており、冷凍機の運転制御手段として前記冷却ユニットにサーミスタなどの温度センサの感温部を挿入した別部品の感温筒を伝熱的に取付け、該温度センサの検知温度を基に冷凍機をオン，オフ制御して庫内温度調節を行うようにしている。
【０００３】
図４は前記した温度センサの従来における取付け構造を示すものであり、図において、１はフィン・チューブ形エバポレータ（冷却ユニット）であり、温度センサであるサーミスタ２の温度検出部（感温部）は別部品の金属製感温筒３の中に挿入し、該感温筒３をエバポレータ１の端板１ａの板面に添わせた上で取付金具４を介してねじ５で締結固定しており、さらにサーミスタ２のリード線２ａをエバポレータ１から引出した冷媒パイプ１ｃにビニール帯６で結束し、リード線２ａが引っ張られるなどした際にサーミスタ２の温度検出部が感温筒３からから不測に抜け落ちるのを防ぐようにしている。なお、２ｂはサーミスタ２のリード線コネクタ、７はエバポレータ１から引出した冷媒導入側のリードパイプ１ｃに接続したキャピラリチューブである。
【０００４】
【発明が解決しようとする課題】
ところで、前記した従来の温度センサ取付け構造では、部品点数，組立工数が多く、組立性の面で次記のような問題がある。
すなわち、サーミスタ２を感温筒３に挿入した上でエバポレータ１の端板１ａに添わせて伝熱的に固定するには、締結ねじ５により取付金具４を端板１ａにねじ止めする必要があり、さらにサーミスタ２の温度検出部が感温筒３から抜け落ちるのを防ぐためにビニール帯６でサーミスタ２のリード線２ａとエバポレータ１の冷媒配管１ｂとの間を結束しており、このためにサーミスタ２をエバポレータ１に取付けるには、感温筒３，取付金具４，ねじ５，およびビニール帯６の４部品を必要とし、かつ組立工数には３工程を要する。
【０００５】
一方、前記したサーミスタ２の取付けは、自動販売機のキャビネットの庫内にエバポレータ１を組み込んだ状態で行うことから、キャビネット内の狭い作業空間での作業となる。しかも、１台の自動販売機には通常２〜４基の冷却ユニットが組み込まれている。このために、ドライバなどの工具を使ってのねじ止め操作，指先作業によるビニール帯６の結束には時間と手間が掛かって組立作業の能率が悪く、その改善策が望まれている。
【０００６】
本発明は上記の点にかんがみなされたものであり、その目的は前記課題を解決し、冷却ユニットへの温度センサの取付けが１部品と１工数で実施でき、部品点数，組立工数を削減して作業能率の改善が図れるようにした冷却ユニットの温度センサ取付け装置を提供することにある。
【０００７】
【課題を解決するための手段】
上記目的を達成するために、本発明によれば、フィン・チューブ形エバポレータとキャピラリの冷却ユニットに温度センサを取付けて温度検出を行う冷却ユニットの温度センサ取付け装置であって、前記キャピラリチュ-ブと接続する側の前記エバポレータから引出した冷媒配管のリードパイプに温度センサの感温部を直接添わせ、嵌め込み式のホルダを介して両者間を伝熱的に結束するものとし、そのホルダは具体的に次記のような形態で構成するものとする。
【０００８】
ホルダが断面ダルマ形でその周面一部を長手方向に沿って開口し、かつその端部に温度センサを係止保持する爪を備えた樹脂製の筒状スナップであり、該ホルダをリードパイプと温度センサの感温筒にまたがって架け渡す。
上記した各種のホルダを用いて冷却ユニットであるフィン・チューブ形エバポレータにサーミスタなどの温度センサを取付けることにより、従来のように感温筒，取付金具，ねじ，ビニール帯などの数多い部品，および工具によるねじ操作，ビニール帯によるリード線と冷媒パイプとの結束などの面倒な作業が一切必要なく、簡単なワンタッチ操作で温度センサを伝熱的にエバポレータに取付けることができる。
【０００９】
【発明の実施の形態】
以下、本発明の実施例を図面に基づいて説明する。なお、各実施例の図中で図４に対応する同一部材には同じ符号が付してある。
〔実施例１〕
図１(a),(b) は本発明の請求項２に対応する実施例を示すものであり、サーミスタ（温度センサ）２はその温度検出部（感温部）を、フィン・チューブ形エバポレータ（冷却ユニット）１の端板１ａを貫通して側方にから引出したリードパイプ１ｃのパイプ上に添わせた状態で、両者を金属製クリップ（ホルダ）８を介して伝熱的に結束している。ここで、クリップ８は伝熱性の高いばね性を有する金属板材をＳ字状に板金加工したものであり、図示のようにリードパイプ１ｃとサーミスタ２の間にまたがって嵌め込み式に架け渡し、両者の間を伝熱的に結束する。また、サーミスタ２は金属性クリップ８に弾性保持されており、不測に抜け落ちるおそれはない。
【００１０】
これにより、冷凍機の運転時にはエバポレータ１の温度が金属製のクリップ８を介してサーミスタ２に伝熱し、サーミスタ２より電気信号として外部に検出される。しかも、サーミスタ２の取付け作業は、ドライバなどの工具，ねじ操作などを一切要さずに、クリップ８にリードパイプ１ｃ，サーミスタ２に嵌め込むだけのワンタッチ操作で簡単行うことができる。
【００１１】
〔実施例２〕
図２(a) 〜(c) は本発明の請求項３に対応する実施例を示すものであり、先記した実施例１と比べて、エバポレータ１のリードパイプ１ｃとサーミスタ２を伝熱的に結合するホルダが樹脂製の筒状スナップ９としてなる。このスナップ９は図示のように断面がダルマ形を呈した樹脂成形品であり、サーミスタ挿入筒部９ａと、その端部に形成した係止爪９ｂと、前記筒部９ａに連なるリードパイプ挿入筒部９ｃを有し、かつ筒部９ｃの周面一部にはその長手方向に沿って開口するスリット９ｄが切欠き形成されている。
【００１２】
そして、エバポレータ１のリードパイプ１ｃにサーミスタ２を伝熱的に取付けるには、まずサーミスタ２の温度検出部（感温部）をスナップ９の筒部９ａに挿入して爪部９ｂをサーミスタ２の端部に係止し、次いでスナップ９の筒部９ｃをエバポレータ１のリードパイプ１ｃに当てがってスリット９ｄを押し広げるようにして嵌め込む。
【００１３】
かかる取付け構造により、エバポレータ１の温度がサーミスタ２に直接的に伝熱する。また、サーミスタ２の取付けは、先記した実施例１と同様にドライバなどの工具，ねじ操作などを一切要することなく、樹脂製スナップ９にリードパイプ１ｃ，サーミスタ２に嵌め込むワンタッチ操作で簡単行うことができる。しかも、スナップ９に係止爪部９ｂを設けてサーミスタ２を係止保持したことにより、サーミスタ２がスナップ９から不測に抜け落ちるおそれもない。
【００１４】
〔実施例３〕
図３(a) 〜(c) は先記実施例２を改良した本発明の請求項４に対応する実施例を示すものである。この実施例においては、図２で述べた樹脂製の筒状スナップに対し、その外周に金属の板ばね材を板金加工して作られた断面Ω状の補助クリップ１０を被着して外周側から締め付けるようにしている。
【００１５】
かかる構成によれば、樹脂製スナップ９の経年変化によるばね性の低下，およびクリープ現象による変形でサーミスタの保持力が低下するのを金属製の補助クリップ１０でバックアップし、サーミスタが不測に抜け落ちるのを防止して信頼性を高めることができる。
なお、補助クリップ１０をあらかじめ樹脂製のスナップ９に装着して一つの部品として取り扱うようにしておけば、サーミスタ２を装着後に改めてクリップを取付ける作業が省けて組立現場での作業工数が少なくて済む。
【００１６】
【発明の効果】
以上述べたように、本発明の構成によれば、温度センサをフィン・チューブ形エバポレータとしてなる冷却ユニットへ伝熱的に取付ける組立工程では、面倒な工具，ねじ操作を一切必要としない嵌め込み式のワンタッチ操作で簡単に能率よく作業を行うことができる。しかも、使用する取付部品は１個の金属製クリップ，もしくは樹脂製スナップのみであり、従来の取付構造と比べて部品点数，組立工数を大幅に削減してコストダウンが図れる。
【図面の簡単な説明】
【図１】本発明の実施例１に対応する実施例の構成図であり、(a) はフィン・チューブ形エバポレータに温度センサであるサーミスタを取付けた組立状態の側面図、(b) は(a) 図の分解斜視図
【図２】本発明の実施例２に対応する実施例の構成図であり、(a) はフィン・チューブ形エバポレータに温度センサであるサーミスタを取付けた組立状態の側面図、(b) は(a) 図における樹脂製スナップの形状を表す端面図、(c) は(a) 図の分解斜視図
【図３】本発明の実施例３に対応する実施例の構成図であり、(a) はフィン・チューブ形エバポレータに温度センサであるサーミスタを取付けた組立状態の側面図、(b) は(a) 図における金属製クリップと組合せた樹脂製スナップの端面図、(c) は(a) 図の分解斜視図
【図４】フィン・チューブ形エバポレータに温度センサであるサーミスタを伝熱的に取付けた従来の取付け構造を表す斜視図
【符号の説明】
１    フィン・チューブ形エバポレータ（冷却ユニット）
１ｃ  リードパイプ
２    サーミスタ（温度センサ）
８    金属製クリップ（ホルダ）
９    樹脂製スナップ（ホルダ）
９ｂ  係止爪部
９ｄ  スリット（開口部）
１０    補助クリップ
【図１】
0003648909.tif 000002
【図２】
0003648909.tif 000003
【図３】
0003648909.tif 000004
【図４】
0003648909.tif 000005